(57)【要約】【課題】  供給コアおよび巻取りコアの回転駆動時に、供給コアおよび巻取りコアの軸部に掛かる摩擦抵抗を小さくし、インクリボンの送出しおよび巻取りを円滑にして印刷品質を向上させることのできるインクリボンカセットを提供すること。【解決手段】  供給コア３および巻取りコア３の各軸部３ｄ，４ｄが軸支される第１のケース５の軸受６ｂ，７ｂおよび第２のケース１３の軸受１４ｂ，１５ｂのうち少なくとも一方のケースの軸受内にそれぞれ突起部２０ａ，２０ｂを形成する。【選択図】      図３
2007313680.tif 000002
【特許請求の範囲】
【請求項１】
それぞれ長尺なインクリボンが巻回されている基部を有する供給コアおよび巻取りコアであって、基部の軸方向における一端部に配設され前記基部の外径よりも径の小さな小径部、前記基部の軸方向における他端部に配設され前記基部よりも径の大きな大径部、および前記小径部の軸方向における先端側に配設され前記小径部よりも径の小さな軸部がそれぞれ一体に形成されてなる供給コアおよび巻取りコアと、
それぞれ半円筒形状に形成され、長手方向に間隔を隔てて前記供給コアおよび前記巻取りコアの各大径部および軸部をそれぞれ回転自在に軸支する軸受が形成された供給側収納部および巻取り側収納部を備えている第１のケースおよび第２のケースと
からなるインクリボンカセットであって、
前記供給コアおよび前記巻取りコアの各軸部が軸支される前記第１のケースの軸受および前記第２のケースの軸受のうち少なくとも一方のケースの軸受内にそれぞれ突起部を形成したことを特徴とするインクリボンカセット。
【発明の詳細な説明】
【技術分野】
【０００１】
本発明はラインプリンタに使用されるインクリボンカセットに係り、特に、供給コアおよび巻取りコアの軸部の摩擦抵抗を小さくし、インクリボンの送出しおよび巻取りを円滑にして印刷品質を向上させることのできるインクリボンカセットに関する。
【背景技術】
【０００２】
近年、ラインプリンタに使用されるインクリボンカセットにおいて、インクリボンを使用し終わった後、インクリボンが巻回された供給コアおよび巻取りコアを交換してインクリボンカセットを再利用するため、インクリボンが巻回された供給コアおよび巻取りコアを容易に着脱可能とされたものがある。
【０００３】
このような従来のインクリボンカセットの一例としてのインクリボンカセット３１は、図４および図５に示すように、長尺なインクリボン３２が巻回された供給コア３３および巻取りコア３４をそれぞれ回転自在に支持する第１のケース３５および第２のケース４３が嵌着されて構成されている。
【０００４】
前記供給コア３３および巻取りコア３４は、図５に示すように、ともに同じ大きさをした樹脂製の略円筒部材からなり、軸方向における中央部に設けられた筒状の基部３３ａ，３４ａと、軸方向における一端部に設けられ基部３３ａ，３４ａの外径よりも径の小さな小径部３３ｂ，３４ｂと、軸方向における他端部に設けられ基部３３ａ，３４ａよりも径の大きな大径部３３ｃ，３４ｃとからなっている。また、前記各小径部３３ｂ，３４ｂの先端側には、それぞれ小径部３３ｂ，３４ｂよりも径の小さな軸部３３ｄ，３４ｄが一体に形成されている。さらに、前記基部３３ａ，３４ａには、前記小径部３３ｂ，３４ｂおよび前記大径部３３ｃ，３４ｃとの境に鍔状をしたフランジ部３３ｅ，３４ｅおよびフランジ部３３ｆ，３４ｆがそれぞれ一体に形成されている。
【０００５】
前記第１のケース３５は樹脂材料から形成されており、図４および図５に示すように、それぞれ半円筒形状に形成された供給側収納部３６と巻取り側収納部３７とが長手方向における両端部において第１側壁３８および第２側壁３９により一体に連結されて形成されている。また、前記供給側収納部３６と前記巻取り側収納部３７の対向する側にはそれぞれ第１リボンガイド部３５ａおよび第２リボンガイド部３５ｂが一体に形成されいる。なお、これら第１リボンガイド部３５ａおよび第２リボンガイド部３５ｂ間は、前記インクリボン３２が露出する開口部４０とされている。さらに、前記第２リボンガイド部３５ｂには、前記インクリボンカセット３１をプリンタ（図示せず）に装着した際に、インクリボン３２を案内するためにプリンタに配設されたガイドローラ（図示せず）が当接するためのガイドローラ逃げ部４１が長手方向に延在して形成されている。
【０００６】
前記第１のケース３５の供給側収納部３６内には、図５および図６に示すように、前記供給コア３３の大径部３３ｃを回転自在に軸支する半円形状の軸受３６ａと、前記供給コア３３の軸部３３ｄを回転自在に軸支する半円形状の軸受３６ｂとが一体に形成されている。
【０００７】
前記第１のケース３５の巻取り側収納部３７内には、前記巻取りコア３４の大径部３４ｃを回転自在に軸支する半円形状の軸受３７ａと、前記巻取りコア３４の軸部３４ｄを回転自在に軸支する半円形状の軸受３７ｂとが一体に形成されている。
【０００８】
また、前記第１のケース３５の第２側壁３９には、前記インクリボンカセット３１をプリンタに装着する際に、インクリボンカセット３１をプリンタの正しい位置に位置決めするための位置決めピン（図示せず）が挿通される位置決め孔４２ａ，４２ｂが所定の間隔を隔てて穿設されている。
【０００９】
前記第２のケース４３は前記第１のケース３５と同様に樹脂材料から形成されており、図４および図５に示すように、それぞれ半円筒形状に形成された供給側収納部４４と巻取り側収納部４５とが長手方向における両端部において第１側壁４６および第２側壁４７により一体に連結されて形成されている。また、前記供給側収納部４４と前記巻取り側収納部４５の対向する側には、それぞれ第１リボンガイド部４３ａおよび第２リボンガイド部４３ｂが一体に形成されている。なお、これら第１リボンガイド部４３ａおよび第２リボンガイド部４３ｂ間は、前記インクリボン３２が露出する開口部４８とされている。なお、前記第１リボンガイド部４３ａおよび第２リボンガイド部４３ｂは、前記第１のケース３５と前記第２のケース４３を嵌着した際に、前記第１のケース３５の第１リボンガイド部３５ａおよび第２リボンガイド部３５ｂとの間にインクリボン３２が挿通される間隙が設けられるように形成されている。
【００１０】
前記第２のケース４３の供給側収納部４４内には、図５および図６に示すように、前記供給コア３３の大径部３３ｃを回転自在に軸支する半円形状の軸受４４ａと、前記供給コア３３の軸部３３ｄを回転自在に軸支する半円形状の軸受４４ｂとが一体に形成されている。
【００１１】
前記第２のケース４３の巻取り側収納部４５内には、前記巻取りコア３４の大径部３４ｃを回転自在に軸支する半円形状の軸受４５ａと、前記巻取りコア３４の軸部３４ｄを回転自在に軸支する半円形状の軸受４５ｂとが一体に形成されている。
【００１２】
また、前記第２のケース４３の供給側収納部４４および巻取り側収納部４５には、前記インクリボンカセット３１をプリンタに装着する際に、インクリボンカセット３１をプリンタの正しい位置に位置決めするための位置決めピン（図示せず）が挿通される位置決め孔４９ａ，４９ｂがそれぞれ穿設されている。
【００１３】
そして、前記第１のケース３５と前記第２のケース４３には、それぞれ相互に嵌合する嵌合部材（図示せず）が一体に形成されており、第１のケース３５の軸受３６ａ，３６ｂおよび軸受３７ａ，３７ｂと第２のケース４３の軸受４４ａ，４４ｂおよび軸受４５ａ，４５ｂにインクリボン３２が巻回された供給コア３３および巻取りコア３４がそれぞれ軸支されるように配置し、前記第１のケース３５と前記第２のケース４３を前記嵌合部材により相互に嵌着させることによりインクリボンカセット３１が構成されている。
【００１４】
そして、前述した構成からなる従来のインクリボンカセット３１によれば、インクリボンカセット３１をプリンタに装着する際、第１のケース３５の第２側壁３９に穿設された位置決め孔４２ａ，４２ｂと、第２のケース４３の供給側収納部４４および巻取り側収納部４５に穿設された位置決め孔４９ａ，４９ｂとに、プリンタに配設された位置決めピンが挿通され、インクリボンカセット３１をプリンタの正しい位置に装着させることができる。
【００１５】
また、インクリボン３２を使用し終わった際、第１のケース３５と第２のケース４３を分解して容易に使用済みのインクリボン３２が巻回された供給コア３３および巻取りコア３４を取り出すことができる。そして、新しいインクリボンが巻回された供給コアおよび巻取りコアに交換することによりインクリボンカセット３１を繰り返し使用することができる。
【発明の開示】
【発明が解決しようとする課題】
【００１６】
しかしながら、前述したような従来のインクリボンカセット３１においては、第１のケース３５および第２のケース４３の各供給側収納部３６，４４および各巻取り側収納部３７，４５内に形成された軸受３６ｂ，４４ｂおよび軸受３７ｂ，４５ｂがそれぞれ半円形状に形成されていたため、インクリボンカセット３１をプリンタに装着し、プリンタの送りボビンおよび巻取りボビン（共に図示せず）により供給コア３３および巻取りコア３４を回転駆動させた際に、供給コア３３および巻取りコア３４の各軸部３３ｄ，３４ｄがそれぞれ軸受３６ｂ，４４ｂおよび軸受３７ｂ，４５ｂに摺接する摩擦抵抗が大きくなり、この結果、インクリボンの送出しおよび巻取りにむらが生じて印刷品質を低下させてしまうという問題があった。
【００１７】
そこで、本発明は、供給コアおよび巻取りコアの回転駆動時に、供給コアおよび巻取りコアの軸部に掛かる摩擦抵抗を小さくし、インクリボンの送出しおよび巻取りを円滑にして印刷品質を向上させることのできるインクリボンカセットを提供することを目的とするものである。
【課題を解決するための手段】
【００１８】
前述した目的を達成するため本発明に係るインクリボンカセットの特徴は、それぞれ長尺なインクリボンが巻回されている基部を有する供給コアおよび巻取りコアであって、基部の軸方向における一端部に配設され前記基部の外径よりも径の小さな小径部、前記基部の軸方向における他端部に配設され前記基部よりも径の大きな大径部、および前記小径部の軸方向における先端側に配設され前記小径部よりも径の小さな軸部がそれぞれ一体に形成されてなる供給コアおよび巻取りコアと、それぞれ半円筒形状に形成され、長手方向に間隔を隔てて前記供給コアおよび前記巻取りコアの各大径部および軸部をそれぞれ回転自在に軸支する軸受が形成された供給側収納部および巻取り側収納部を備えている第１のケースおよび第２のケースとからなるインクリボンカセットであって、前記供給コアおよび前記巻取りコアの各軸部が軸支される前記第１のケースの軸受および前記第２のケースの軸受のうち少なくとも一方のケースの軸受内にそれぞれ突起部を形成した点にある。
【００１９】
このような構成を採用したことにより、インクリボンカセットをプリンタに装着し、プリンタの供給ボビンおよび巻取りボビンの回転駆動によりインクリボンカセットの供給コアおよび巻取りコアを回転させた際、供給コアおよび巻取りコアの軸部が軸受内に形成された突起部により点で支持され、回転駆動した際に掛かる摩擦抵抗を小さくすることができる。その結果、インクリボンの送出しおよび巻取りを円滑に行うことができ、印刷品質を向上させることができる。
【発明の効果】
【００２０】
本発明のインクリボンカセットによれば、インクリボンカセットをプリンタに装着し、プリンタの供給ボビンおよび巻取りボビンの回転駆動によりインクリボンカセットの供給コアおよび巻取りコアを回転させた際に、供給コアおよび巻取りコアの軸部に掛かる摩擦抵抗を小さくすることができ、インクリボンの送出しおよび巻取りを円滑にして印刷品質を向上させることができる。
【発明を実施するための最良の形態】
【００２１】
以下、本発明に係るインクリボンカセットを図面に示す実施形態により説明する。
【００２２】
図１は本発明に係るインクリボンカセットの実施形態を示す概略斜視図、図２は図１の分解斜視図、図３は図１の要部断面図である。
【００２３】
本実施形態のインクリボンカセット１は、図１および図２に示すように、長尺なインクリボン２が巻回された供給コア３および巻取りコア４をそれぞれ回転自在に支持する第１のケース５および第２のケース１３が嵌着されて構成されている。
【００２４】
前記供給コア３および巻取りコア４は、図２に示すように、ともに同じ大きさをした樹脂製の略円筒部材からなり、軸方向における中央部に設けられた筒状の基部３ａ，４ａと、軸方向における一端部に設けられ基部３ａ，４ａの外径よりも径の小さな小径部３ｂ，４ｂと、軸方向における他端部に設けられ基部３ａ，４ａよりも径の大きな大径部３ｃ，４ｃとにより構成されている。また、前記各小径部３ｂ，４ｂの軸方向における先端側には、それぞれ小径部３ｂ，４ｂよりも径の小さな軸部３ｄ，４ｄが一体に形成されている。さらに、前記基部３ａ，４ａには、前記小径部３ｂ，４ｂおよび前記大径部３ｃ，４ｃとの境に鍔状をしたフランジ部３ｅ，４ｅおよびフランジ部３ｆ，４ｆがそれぞれ一体に形成されている。
【００２５】
前記第１のケース５は樹脂材料から形成されており、図１および図２に示すように、それぞれ半円筒形状に形成された供給側収納部６と巻取り側収納部７とが長手方向における両端部において第１側壁８および第２側壁９により一体に連結されて形成されている。また、前記供給側収納部６と前記巻取り側収納部７の対向する側には、それぞれ第１リボンガイド部５ａおよび第２リボンガイド部５ｂが一体に形成されいる。なお、これら第１リボンガイド部５ａおよび第２リボンガイド部５ｂ間は、前記インクリボン２が露出する開口部１０とされている。さらに、前記第２リボンガイド部５ｂには、前記インクリボンカセット１をプリンタ（図示せず）に装着した際に、インクリボン２を案内するプリンタに配設されたガイドローラ（図示せず）が当接するためのガイドローラ逃げ部１１が長手方向に延在して形成されている。
【００２６】
本実施形態の第１のケース５の供給側収納部６内には、図２および図３に示すように、前記供給コア３の大径部３ｃを回転自在に軸支する半円形状の軸受６ａと、前記供給コア３の軸部３ｄを回転自在に軸支する円弧形状の軸受６ｂとが一体に形成されている。また、前記第１のケース５の巻取り側収納部７内には、前記巻取りコア４の大径部４ｃを回転自在に軸支する半円形状の軸受７ａと、前記巻取りコア４の軸部４ｄを回転自在に軸支する円弧形状の軸受７ｂとが一体に形成されている。
【００２７】
前記第２のケース１３は前記第１のケース５と同様に樹脂材料から形成されており、図１および図２に示すように、それぞれ半円筒形状に形成された供給側収納部１４と巻取り側収納部１５とが長手方向における両端部において第１側壁１６および第２側壁１７により一体に連結されて形成されている。また、前記供給側収納部１４と前記巻取り側収納部１５の対向する側には、それぞれ第１リボンガイド部１３ａおよび第２リボンガイド部１３ｂが一体に形成されている。なお、これら第１リボンガイド部１３ａおよび第２リボンガイド部１３ｂ間は、前記インクリボン２が露出する開口部１８とされている。また、前記第１リボンガイド部１３ａおよび第２リボンガイド部１３ｂには、前記第１のケース５と前記第２のケース１３を嵌着した際に、前記第１のケース５の第１リボンガイド部５ａおよび第２リボンガイド部５ｂとの間にインクリボン２が挿通される間隙が設けられるように形成されている。
【００２８】
本実施形態の前記第２のケース１３の供給側収納部１４内には、図２および図３に示すように、前記供給コア３の大径部３ｃを回転自在に軸支する半円形状の軸受１４ａと、前記第１のケース５の供給側収納部６内に形成された軸受６ｂに当接して前記供給コア３の軸部３ｄを回転自在に軸支する凹状の軸受１４ｂとが一体に形成されている。そして、本実施形態の軸受１４ｂ内には、前記供給コア３の軸部３ｂに点接触する突起部２０ａが一体に形成されている。また、前記第２のケース１３の巻取り側収納部１５内には、前記巻取りコア４の大径部４ｃを回転自在に軸支する半円形状の軸受１５ａと、前記第１のケース５の巻取り側収納部７内に形成された軸受７ｂに当接して前記巻取りコア４の軸部４ｄを回転自在に軸支する凹状の軸受１５ｂとが一体に形成されている。そして、本実施形態の軸受１５ｂ内には、前記巻取りコア４の軸部４ｄに点接触する突起部２０ｂが一体に形成されている。
【００２９】
そして、前記第１のケース５および前記第２のケース１３には、相互に嵌合する嵌合部材（図示せず）がそれぞれ一体に形成されており、第１のケース５の軸受６ａ，６ｂおよび軸受７ａ，７ｂと第２のケース１３の軸受１４ａ，１４ｂおよび軸受１５ａ，１５ｂに、インクリボン２が巻回された供給コア３および巻取りコア４がそれぞれ軸支されるように配置され、前記第１のケース５と前記第２のケース１３を前記各嵌合部材を相互に嵌着させることによりインクリボンカセット１が構成されている。
【００３０】
以上説明した構成からなる本実施形態のインクリボンカセット１によれば、供給コア３の軸部３ｄおよび巻取りコア４の軸部４ｄがそれぞれ軸受６ｂおよび突起部２０ａ、軸受７ｂおよび突起部２０ｂにより回転自在に軸支されるため、供給コア３の軸部３ｄおよび巻取りコア４の軸部４ｄの摺接面積を小さくすることができる。この結果、インクリボンカセット１をプリンタに装着し、プリンタの供給ボビンおよび巻取りボビン（共に図示せず）により供給コア３および巻取りコア４を回転駆動させた際に、供給コア３および巻取りコア４の摺接する摩擦抵抗を小さくすることができ、インクリボンの送出しおよび巻取りを円滑にして印刷品質を向上させることができる。
【００３１】
なお、本発明は、前述した実施の形態に限定されるものではなく、必要に応じて種々の変更が可能である。例えば、本実施形態においては、第１のケース５の軸受６ｂおよび軸受７ｂを円弧形状に形成し、第２のケース１３の軸受１４ｂおよび軸受１５ｂをそれぞれ前記軸受６ｂおよび前記軸受７ｂの頂部に当接する凹状に形成するとともにその内部にそれぞれ突起部２０ａ，２０ｂを形成していたが、これに限定されるものではなく、第２のケース１３の軸受１４ｂおよび軸受１５ｂを円弧形状に形成し、第１のケース５の軸受６ｂおよび軸受７ｂをそれぞれ前記軸受１４ｂおよび前記軸受１５ｂの頂部に当接する凹状に形成するとともにその内部にそれぞれ突起部２０ａ，２０ｂを形成するなどしても同様の効果を奏することができる。
【図面の簡単な説明】
【００３２】
【図１】本発明に係るインクリボンカセットの実施形態を示す概略斜視図
【図２】図１の分解斜視図
【図３】図１の要部断面図
【図４】従来の一般的なインクリボンカセットの概略斜視図
【図５】図４の分解斜視図
【図６】図４の要部断面図
【符号の説明】
【００３３】
１  インクリボンカセット
２  インクリボン
３  供給コア
４  巻取りコア
５  第１のケース
６  供給側収納部
７  巻取り側収納部
８  第１側壁
９  第２側壁
１０  開口部
１１  ガイドローラ逃げ部
１３  第２のケース
１４  供給側収納部
１５  巻取り側収納部
１６  第１側壁
１７  第２側壁
１８  開口部
２０ａ，２０ｂ  突起部
【図１】
2007313680.tif 000003
【図２】
2007313680.tif 000004
【図３】
2007313680.tif 000005
【図４】
2007313680.tif 000006
【図５】
2007313680.tif 000007
【図６】
2007313680.tif 000008